(57)【特許請求の範囲】
【請求項１】
軸筒の内部に筆記体を配置し、その筆記体を前記軸筒より出没可能に配置した筆記具であって、前記軸筒の側壁に窓孔を形成し、その窓孔に前記軸筒の径方向、或は、長手方向に移動し得るノック駒を配置すると共に、そのノック駒と前記窓孔との間にノック駒の硬度よりも軟らかい緩衝部材を配置し、また、その緩衝部材に前記窓孔からの脱落を防止する係合爪を形成したことを特徴とするサイドノック式筆記具。
【発明の詳細な説明】
【０００１】
【発明の属する技術分野】
本発明は、軸筒の内部にシャ−プペンシルの芯やボ−ルペンなどの筆記体を配置し、その筆記体を前記軸筒より出没可能に配置した筆記具であって、前記軸筒の側壁に窓孔を形成し、その窓孔に前記軸筒の径方向、或は、長手方向に移動し得るノック駒を配置した、所謂、サイドノック式筆記具に関する。
【０００２】
【従来の技術】
１例として、実開昭５５−１７１５８０号公報がある。その公報の実用新案登録請求の範囲には、「軸筒の把持指頭付近に設けた窓孔より突出するノック釦を設け、このノック釦により芯の繰出しを行う形式のサイドノック式シャープペンシルにおいて、上記ノック釦を、弾性合成樹脂材料により軸方向に対する直交断面がコ字形となるように形成しかつ上端には指当方向より投影視したとき互いに重ならないように支点用外側突起及び支点用内側突起を備え、さらに左右の内端ほぼ下側に係止用突部を備えたことを特徴とするサイドノック式シャ−プペンシル。」と記載されている。つまり、ノック釦を径方向に押圧することによって芯繰り出し機構を作動せしめ、芯を軸筒の先端より出没させようとするものである。
【０００３】
【発明が解決しようとする課題】
上記のような従来技術にあっては、常時、摺動子がスプリングの弾発力により後方へ押圧されており、そのため、チャックが芯を保持していないときは、ノック釦の後部端面が外筒軸（軸筒）の窓孔後部内面に接触している。この様な状態でノック釦を操作すると、ノック釦の後部端面と窓孔後部内面およびノック釦の側面と窓孔の内側が摺動することになり、そこに擦れが発生する。そして、その擦れにより、前記軸筒の窓孔やノック釦の側面が摩耗してしまい、がたつきが発生し、操作しにくいものとなってしまっていた。また、窓孔とノック釦との間（隙間）から塵やゴミなどが侵入しやすくなってしまい、これもまた、操作性を悪くしてしまう原因の１つとなっていた。
【０００４】
【課題を解決するための手段】
本発明は、上記問題点に鑑みてなされたものであり、軸筒の内部に筆記体を配置し、その筆記体を前記軸筒より出没可能に配置した筆記具であって、前記軸筒の側壁に窓孔を形成し、その窓孔に前記軸筒の径方向、或は、長手方向に移動し得るノック駒を配置すると共に、そのノック駒と前記窓孔との間にノック駒の硬度よりも軟らかい緩衝部材を配置し、また、その緩衝部材に前記窓孔からの脱落を防止する係合爪を形成したことを要旨とするものである。
【０００５】
【実施例】
図１〜図４に第１例を示し説明する。ポリアセタ−ルやポリアミドなどの樹脂材質からなる軸筒１の側壁の中間部には、透孔２が形成されており、その透孔２には、断面形状がコ字型に形成されたノック駒３が、前記軸筒１に対して垂直方向の径方向に移動可能に取り付けられている。そのノック駒３は、前記軸筒１よりも軟らかいポリアセタ−ルやポリアミドなどの樹脂材質で成形されているが、互いの材質を異ならしめても良い。
また、軸筒１とノック駒３とを同じ材質で形成し、硬度を異ならせしめても良い。
【０００６】
前記ノック駒３の側壁４の前端には、前部傾斜面６が形成されており、また、側壁４の中間部に形成されている切欠き部５の後方には、後部傾斜面７が形成されている。
尚、ノック駒３の側壁４の外側面には、係合爪８が形成されており、前記軸筒１からの脱落を防止している。
前記軸筒１の中間部の内壁面には、芯挿通孔９が形成された円錐状の芯受け部１０が形成されており、その芯受け部１０の後方が芯を複数貯蔵する芯タンク部１１となっている。つまり、軸筒１自体が芯タンク１１となっているが、芯タンクをパイプ部材などで別部材で構成し、前記芯受け部１０の後方に固定しても良い。
【０００７】
前記芯受け部１０の前部には、ノック駒３の前部傾斜面６と後部傾斜面７とに摺接する傾斜面１２、１３が形成されたテ−パ−ブロック１４が固定されており、そのテ−パ−ブロック１４には、前記芯受け部１０の芯挿通孔９と連通する貫通孔１５が形成されている。
また、前記テ−パ−ブロック１４の前部には、芯の把持を行うチャック体１６が固定されており、そのチャック体１６には、チャック体１６の開閉を行うチャックリング１７が囲繞されている。符号１８は、テ−パ−ブロック１４と軸筒１との間に張設されたコイルスプリングなどの弾撥部材であり、テ−パ−ブロック１４やチャック体１６を後方に付勢している。また、符号１９は、芯の後退を規制するゴム材質などの芯戻り止め部材であり、その芯戻り止め部材１９は、前記軸筒１の前端に着脱自在に取り付けられた先部材２０の内側に圧入されている。
【０００８】
次に作用について説明する。芯の繰り出し（出没）を行う際、ノック駒の側壁と窓孔２の内側面とが摺動し擦れるが、各々の材質が異なっているため、各々の部材の摩耗が極力防止される。
使用方法については、前記ノック駒３を押圧するとテ−パ−ブロック１４が前進すると共に、チャック体１７が前進・拡開し、芯が繰り出される。
尚、前記例においては、筆記体としてシャ−プペンシルに使用される芯を軸筒内に配置し繰り出した（出没させた）が、筆記体として油性や水性のボ−ルペンを配置しても良い。
【０００９】
前記窓孔２の内側には、窓枠（緩衝部材）２１が固定されている。その窓枠２１は、コ字形をしており、前記窓孔２の内側の側面と後端面を覆うように配置されている。また、窓枠２１の側面の下端には、係合爪２２が形成されており、軸筒１（窓孔２）からの脱落を防止している。
前記窓枠２１の材質としては、その窓枠２１に摺接するノック駒３の材質と異なる材質としてあるが、ノック駒３の材質より軟らかい材質とするのが好ましい。例えば、ポリアセタールやポリアミドなどである。
尚、互いの材質の異ならしめ方としては、前記説明したように、同じ種類の材料で硬度を異ならせても良いし、硬度は同じでも材料の種類を変えても良い。
本例の様に、窓枠（緩衝部材）を介在させることによって、窓孔やノック駒に多少の寸法ばらつきが発生してしまっても、その寸法ばらつきを前記の窓枠によって吸収することができるという効果も奏する。
【００１０】
第２例を図５、図６に示し説明する。前記第１例の変形例であり、窓枠２３を窓孔２の内面全周に配置した例である。使用する材質や作用は、前記第２例と同様であるが、本例においては、窓枠２３を窓孔２の全周に設けているので、軸筒１とノック駒３との境目にメリハリが付き、外観の見栄えが良い筆記具ともなっている。符号２４は、前記窓枠２３の前後に形成した係合爪であり、その係合爪２４によって軸筒１（窓孔２）からの脱落が防止されている。
また、前記の窓枠２３に換え、窓孔２の内側面にスプレーなどによって塗膜を形成しても良く、更に、シリコーン、界面活性剤等の潤滑性のある物質をディッピングなどの方法で窓孔２内側面に付着させても良いが、前記の塗膜や潤滑性物質をノック駒３の側面に付着させても良い。
以上の例においては、ノック駒３を軸筒の径方向に押圧せしめることによって筆記体を出没させたが、ノック駒を軸筒の長手方向に押圧せしめることにより筆記体を出没させるような、所謂、サイドスライド式の筆記具に適用しても良い。
【００１１】
【発明の効果】
本発明は、軸筒の内部に筆記体を配置し、その筆記体を前記軸筒より出没可能に配置した筆記具であって、前記軸筒の側壁に窓孔を形成し、その窓孔に前記軸筒の径方向、或は、長手方向に移動し得るノック駒を配置すると共に、そのノック駒と前記窓孔との間にノック駒の硬度よりも軟らかい緩衝部材を配置し、また、その緩衝部材に前記窓孔からの脱落を防止する係合爪を形成したことを第４の要旨としたので、窓孔とノック駒との擦れによる「摩耗」を極力防止することができ、よって、経時的に操作性に優れたサイドノック式筆記具を提供することができる。
【図面の簡単な説明】
【図１】  本発明の第１例を示す縦断面図。
【図２】  図１のＢ−Ｂ線断面図。
【図３】  図１の内部を示す要部斜視図。
【図４】  図１のノック駒を外した状態を示す要部拡大上面図。
【図５】  第２例を示すノック駒を外した状態を示す要部拡大上面図。
【図６】  第２例を示すノック駒を外した状態を示す要部拡大上面図。
【符号の説明】
１      軸筒
２      透孔
３      ノック駒
４      側壁
５      平坦部
６      前部傾斜面
７      後部傾斜面
８      係合爪
９      芯挿通孔
１０    芯受け部
１１    芯タンク部
１２    傾斜面
１３    傾斜面
１４    テ−パ−ブロック
１５    貫通孔
１６    傾斜面
１７    チャック体
１８    チャックリング
１９    芯戻り止め部材
２０    先部材
２１    窓枠
２２    係合爪
２３    窓枠
２４    係合爪
【図１】
0003870524.tif 000002
【図２】
0003870524.tif 000003
【図３】
0003870524.tif 000004
【図４】
0003870524.tif 000005
【図５】
0003870524.tif 000006
【図６】
0003870524.tif 000007